(57)【要約】【課題】筋かい用ガセットプレートの定着性能を充分に確保でき、かつ定着の容易なＲＣ架構と筋かいとの接合構造および筋かい付ＲＣ架構を提供することを目的とする。【解決手段】柱１と梁２とで構成されるＲＣ架構４と、ＲＣ架構４の柱梁接合部に筋かい用ガセットプレート５を介して筋かい３を接合する。筋かい用ガセットプレート５は、柱梁接合部の入り隅部に突設されたガセットプレート本体６と柱梁接合部近傍の柱１及び梁２の端部にそれぞれ埋め込まれた複数の埋め込みプレート７および複数の突起８とから構成する。複数の埋め込みプレート７はＲＣ架構４の構面とほぼ平行に埋め込む。複数の突起８は複数の埋め込みプレート７に突設されＲＣ架構４の構面の面外方向に埋め込む。柱１と梁２の内側面に、ＲＣ架構４の構面とほぼ直角に直交プレート９を取り付ける。【選択図】図２
2014136887.tif 000002
【特許請求の範囲】
【請求項１】
柱と梁とで構成されるＲＣ架構と、当該ＲＣ架構の柱梁接合部に筋かい用ガセットプレートを介して接合される筋かいとの接合構造において、前記筋かい用ガセットプレートは、前記柱梁接合部の入り隅部に突設されたガセットプレート本体と柱梁接合部近傍の柱及び梁の端部にそれぞれ埋め込まれた複数の埋め込みプレート及び複数の突起とから構成され、前記複数の埋め込みプレートは前記ＲＣ架構の構面とほぼ平行に埋め込まれ、かつ前記複数の突起は前記複数の埋め込みプレートに突設され前記ＲＣ架構の構面の面外方向に埋め込まれていることを特徴とするＲＣ架構と筋かいとの接合構造。
【請求項２】
請求項１記載のＲＣ架構と筋かいとの接合構造において、前記柱梁接合部の入り隅部における柱と梁の内側面に、ＲＣ架構の構面とほぼ直角に直交プレートが取り付けられていることを特徴とするＲＣ架構と筋かいとの接合構造。
【請求項３】
請求項１または２記載のＲＣ架構と筋かいとの接合構造において、埋め込みプレートに鉄筋を貫通させる複数の貫通孔が形成されていることを特徴とするＲＣ架構と筋かいとの接合構造。
【請求項４】
柱と梁とで構成されるＲＣ架構と、当該ＲＣ架構に組み込まれた筋かいとからなる筋かい付ＲＣ架構において、前記ＲＣ架構の対向する柱梁接合部近傍の内側に前記筋かいの端部が筋かい用ガセットプレートを介してそれぞれ接合され、前記筋かい用ガセットプレートは、前記柱梁接合部の入り隅部に突設されたガセットプレート本体と柱梁接合部近傍の柱及び梁の端部にそれぞれ埋め込まれた複数の埋め込みプレートおよび複数の突起とから構成され、前記複数の埋め込みプレートは前記ＲＣ架構の構面とほぼ平行に埋め込まれ、前記複数の突起は前記複数の埋め込みプレートに突設され前記ＲＣ架構の構面の面外方向に埋め込まれていることを特徴とする筋かい付ＲＣ架構。
【請求項５】
請求項４記載の筋かい付ＲＣ架構において、筋かいとして芯材となる鋼板と、当該鋼板を包み込むモルタル充填鋼管と、前記鋼板とモルタルとの接触面に貼付されたアンボンド材とからなる座屈拘束ブレースが設置されていることを特徴とする筋かい付ＲＣ架構。
【発明の詳細な説明】
【技術分野】
【０００１】
本発明は、鉄筋コンクリート造（以下「ＲＣ」と略す）の柱と梁とで構成されるＲＣ架構と当該ＲＣ架構に組み込まれる筋かいとの接合構造及び当該接合構造を備えた筋かい付ＲＣ架構に関し、主としてＲＣ架構と鉄骨などの金属系筋かいとからなる筋かい付ＲＣ架構に適用され、筋かい接合部の定着性能を著しく向上させることができ、エネルギー吸収能力の高い筋かい付ＲＣ架構を提供する。
【背景技術】
【０００２】
従来、ＲＣの柱と梁とで構成されるＲＣ架構を備えたＲＣ構造物において、耐震性能を向上させるため柱と梁とで構成されるＲＣ架構の内側にＲＣ壁を一体的に設置することが一般的であった。
【０００３】
しかし、この方法は、出入り口や採光、あるいは通風の確保などの観点から、建物としての機能面で制約を受けやく、また、壁に開口を設けた場合、本来の耐震壁としての性能が低下するという問題があった。
【０００４】
この問題に対する対策として、ＲＣ壁の代わりに鉄骨部材を筋かいとして組み込むことが考えられる。実際、既存ＲＣ構造物の耐震補強方法として、ＲＣの柱と梁とで構成されるＲＣ架構の内側に鉄骨枠付き筋かいを設置し、その鉄骨枠を周囲のＲＣ架構に頭付きスタッドやスパイラル鉄筋などにより定着する方法が普及している（特許文献１）。
【０００５】
しかし、この方法は、鉄骨枠とＲＣ架構との接合に手間がかかり、また、既存ＲＣ構造物の耐震補強を前提にしているので、新築には不向きという問題があった。
【０００６】
ところで、鉄骨枠を用いないで筋かいを設置する従来技術として、図１１に示すように、非特許文献１により容易に想到される、ＲＣ架構の柱２０及び梁２１の端部の内面に頭付きスタッド２２を用いて筋かい用ガセットプレート２３を定着させる方法がある。
【０００７】
また、非特許文献２では、図１２に示すように、筋かい用ガセットプレート２３を柱梁接合部の内部まで延長し、十字鋼板２４またはスタッド（図示せず）で定着させる方法についての実験結果を報告している。
【０００８】
さらに、特許文献２には、柱梁接合部のコンクリート内部に柱鉄骨部材が埋設されていることが開示されている。
【先行技術文献】
【特許文献】
【０００９】
【特許文献１】特開平９−２７９６９５号公報
【特許文献２】特開２００５−３６５９８号公報
【特許文献３】特許第４６６５２３２号
【非特許文献】
【００１０】
【非特許文献１】日本建築学会「各種合成構造設計指針・同解説」2010.11
【非特許文献２】三井住友建設技術研究所報告  第２号、2004、p.129〜134
【発明の概要】
【発明が解決しようとする課題】
【００１１】
しかし、図１１に図示するような方法では、頭付きスタッド２２が柱２０及び梁２１の表面に柱２０と梁２１とで構成されるＲＣ架構の構面と平行に埋め込まれているので、柱梁接合部近傍における柱２０もしくは梁２１の端部のコンクリートに曲げひび割れ２５が発生すると、頭付きスタッド２２の軸方向にほぼ一致するため、この定着部の定着性能が低下する恐れがある。定着性能が低下すれば、筋かいの能力を充分発揮できないことになる。
【００１２】
一方、図１２に図示するような方法では、筋かい用ガセットプレート２３の定着性能は確保し得るが、柱２０と梁２１の主筋やフープ筋、あばら筋が多数交錯する柱梁接合部内部に筋かい用ガセットプレート２３を挿入するため、この納め方が難しく、実際上施工困難であり、また、コンクリートの充填性にも悪影響を及ぼす。
【００１３】
また、特許文献２も同様なことがいえる。
【００１４】
本発明は、以上のような課題を解決するためになされたもので、ＲＣ架構がある程度変形してコンクリートにひび割れが発生しても、柱梁接合部近傍における柱及び梁の端部に筋かい用ガセットプレートの定着性能を充分に確保でき、かつ定着が容易である筋かい接合部と、そのような筋かい接合部を座屈拘束ブレース等のダンパーに適用して、エネルギー吸収性能の高いＲＣ架構と筋かいとの接合構造及び筋かい付ＲＣ架構を提供することを目的とするものである。
【課題を解決するための手段】
【００１５】
本発明は、柱と梁とで構成されるＲＣ架構と、当該ＲＣ架構の柱梁接合部に筋かい用ガセットプレートを介して接合される筋かいとの接合部において、前記筋かい用ガセットプレートは、前記柱梁接合部の入り隅部に突設されたガセットプレート本体と前記柱梁接合部近傍の柱及び梁の端部にそれぞれ埋め込まれた複数の埋め込みプレートと該埋め込みプレートに突設された複数の突起とから構成され、前記複数の埋め込みプレートは前記ＲＣ架構の構面とほぼ平行に埋め込まれ、前記複数の突起は前記埋め込みプレートに突設され前記ＲＣ架構の構面の面外方向に埋め込まれることにより、ＲＣ架構の筋かい接合部の定着性能を著しく向上させることができる。
【００１６】
これにより、エネルギー吸収性能の高い筋かい付ＲＣ架構を実現させる手段として、座屈拘束ブレース等のエネルギー吸収性能の高いダンパーを筋かいとして組み込むことが可能になる。
【００１７】
また、筋かいとしてＲＣ架構に適した初期剛性を設定することが可能な座屈拘束ブレース(特許文献３)を用いることで、小さい変形からひび割れを生じるＲＣ架構より高性能な制振構造化が可能となる。
【００１８】
なお、複数の突起にはスタッド、ボルト、鉄筋等を用いることができるが、これらに代えてリブ状の突起などでもよい。
【発明の効果】
【００１９】
本発明は、以上のような手段によるので、次のような効果がある。
【００２０】
(1) ＲＣ架構に、耐震壁ではなく筋かいの設置が容易になるので、出入り口や採光、あるいは通風のための有効開口確保など、建物としての機能面での制約を軽減できる。
【００２１】
(2) ＲＣ架構に枠材を用いないで筋かいを取り付けることが可能になるので、現場施工の容易性や経済的な面でも有利である。
【００２２】
(3) 筋かい用ガセットプレートの定着部の定着安定性能が高いので、ＲＣ架構の変形が大きくなっても筋かいへの応力伝達が確実になり、筋かいの性能を充分に発揮させることが可能となる。
【００２３】
(4) 筋かい付きＲＣ架構の耐力は、ＲＣ架構耐力と筋かい耐力の単純累加となるので、耐力評価が容易である。
【００２４】
(5) 本発明の存在により、柱及び梁の端部が剛域に近い状態になるので、ＲＣ架構の大変形時の耐力劣化が緩和される。
【００２５】
(6) 上記(3)〜(5)の効果により、筋かいをＲＣ架構に適した座屈拘束ブレース等のダンパーを用いることで、小さい変形からひび割れを生じるＲＣ架構のより高性能な制振構造化が容易になる。
【００２６】
(7) 上記(6)において、好適には特許文献３に示されるＲＣ架構に適した座屈拘束ブレースを用いることで、小さい変形からひび割れを生じるＲＣ架構のより高性能な制振構造化が可能となる。
【図面の簡単な説明】
【００２７】
【図１】本発明を適用した場合のＲＣ架構の斜視図である。
【図２】本発明によるＲＣ架構の筋かいとの接合部を示す斜視図である。
【図３】本発明によるＲＣ架構の筋かいとの接合部を示す側面図である。
【図４】本発明によるＲＣ架構の筋かいとの接合部を示す側面図である。
【図５】本発明による接合部の性能を確認した実験の試験体の全体図である。
【図６】座屈拘束ブレースの説明図である。
【図７】試験体をセットした状態の加力装置を示す図である。
【図８】(ａ)、(ｂ)は、試験体の水平荷重〜層間変位関係図である。
【図９】層間変位±20ｍｍまでの試験体の水平荷重〜層間変位関係をスケルトン(骨格曲線)で表示した図である。
【図１０】(ａ)、(ｂ)は、層間変形角約±1/100の時の試験体のひび割れ状態を示す図である。
【図１１】ＲＣ架構と筋かいとの接合部の従来例を示す図である。
【図１２】ＲＣ架構と筋かいとの接合部の従来例を示す図である。
【発明を実施するための形態】
【００２８】
図１〜図４は、本発明の一実施形態を示し、図１はＲＣの柱１と梁２とによって構成され、かつ金属系の筋かい３を組み込むことにより構成されたＲＣ架構４を示す斜視図である。
【００２９】
また、図２、３、４はＲＣ架構４の筋かい３との接合部を示し、図２と図３は筋かい３の上端側を接合する筋かい接合部(以下「筋かい接合部Ａ」)を示し、図２はその斜視図、図３は側面図である。そして、図４は筋かい３の下端側を接合する筋かい接合部(以下「筋かい接合部Ｂ」)を示す側面図である。
【００３０】
図において、筋かい接合部Ａと筋かい接合部Ｂに筋かい用ガセットプレート５がそれぞれ取り付けられている。
【００３１】
筋かい用ガセットプレート５は、柱１と梁２との接合部の入り隅部 (内側)に突設されたガセットプレート本体６と、柱梁接合部近傍における柱１及び梁２の端部のコンクリート内にそれぞれ埋め込まれた複数の埋め込みプレート７、７及び複数の突起８と、柱１及び梁２の内側面にそれぞれ設置された複数の直交プレート９、９とから一体に構成されている。
【００３２】
埋め込みプレート７は、柱１と梁２に配筋された主筋や帯筋、あるいはあばら筋が多数錯綜する柱梁接合部を避け、その近傍の柱１と梁２の端部にそれぞれその内部まで延長して埋め込まれている。
【００３３】
また、埋め込みプレート７には複数の貫通孔７ａが直交プレート９に近接して形成されている。そして、柱１内に埋め込まれた埋め込みプレート７の各貫通孔７ａに柱１のフープ筋（図省略）が貫通され、梁２内に埋め込まれた埋め込みプレート７の各貫通孔７ａには梁２のあばら筋（図省略）が貫通されている。
【００３４】
さらに、ガセットプレート本体６と埋め込みプレート７、７は、ＲＣ架構４の構面とほぼ平行に形成され、直交プレート９、９はＲＣ架構４の構面に対して略直角に、すなわちガセットプレート本体６及び埋め込みプレート７、７とほぼ直角に形成されている。また、複数の突起８、８も直交プレート９、９と同様にＲＣ架構４の構面に対して略直角に、すなわちガセットプレート本体６及び埋め込みプレート７の両側にほぼ直角に突設されている。
【００３５】
なお、複数の突起８には鉄筋やスタッドボルト等が用いられ、筋かい３の耐力に応じて最適な数量が突設されている。また、直交プレート９、９は、柱１と梁２のコンクリートを打設する際の捨て型枠を兼ねるように形成されている。さらに、ガセットプレート本体６と各直交プレート９、９との接合部（入り隅部）には複数の補強リブ１０が一体に取り付けられている。
【００３６】
このような構成において、ＲＣ架構４に地震水平力が作用して柱１が傾斜すると、地震水平力は柱１及び梁２の端部に埋め込まれたスタッド等の突起８から埋め込みプレート７を介してガセットプレート本体６に伝わり、さらに筋かい３に伝達されることになる。
【００３７】
この時、柱１及び梁２の端部に埋め込まれたスタッド等の突起８にはせん断力が作用するが、埋め込みプレート７を貫通する帯筋とあばら筋も、ある程度のせん断力を負担することにより定着性が向上する。
【００３８】
また、スタッド等の突起８の軸は柱１及び梁２に発生する曲げひび割れの方向と直交するため、従来例(図１１参照)の頭付きスタッドのみによる定着法よりも定着安定性が高いといえる。
【００３９】
さらに、直交プレート９、９は、柱梁接合部の入り隅部における柱１及び梁２の内側面(内法面)に添え付けられ、かつガセットプレート本体６と各直交プレート９との接合部(入り隅部)に複数の補強リブ１０が取り付けられていることで、直交プレート９が取り付けられた柱１及び梁２のコンクリートが圧縮力を受けても孕み出すことを抑制することができる。
【００４０】
すなわち、柱１及び梁２の端部コンクリートに対する拘束効果により、柱１及び梁２の端部に剛域に近い状態が形成されるので、柱梁接合部に作用する応力レベルを低減できる効果もある。
【００４１】
図５は、本発明によるＲＣ架構４と筋かい３との接合部の性能を確認した実験の試験体を示す全体図であり、柱１Ａと梁２Ａとで構成されるＲＣ架構４Ａの中に筋かいとして座屈拘束ブレース１１を組み込むことにより構成されている。
【００４２】
座屈拘束ブレース１１は、図６に示すように芯材となる鋼板１１aをモルタル充填鋼管１１ｂによって包み込み、かつ鋼板１１ａとモルタル１１ｃとの接触面にアンボンド材（図省略）を貼付して付着を無くすことにより構成されており、圧縮軸力に対しても座屈せず、引張り軸力が作用した場合と同等の耐力、変形能力を有する筋かいとして構成されている。また、このように優れた性能を有していることにより制振部材としてもよく使用されている。
【００４３】
以下に、実験概要と結果を述べる。図７は、試験体をセットした状態の加力装置であり、水平アクチュエータ１２により層間変形角で±1/1600〜±1/25まで、正負交番漸増繰り返し載荷を実施した。
【００４４】
表１に試験体の材料特性、表２に試験体のＲＣ部分の断面リストをそれぞれ示す。試験体は、ＲＣ架構４Ａのみの「試験体１」と座屈拘束ブース（ＢＲＢ）１１のある「試験体２」)の各一体である。
【００４５】
図８に、両試験体の水平荷重〜層間変位関係図を示す。図９は、層間変位±20ｍｍまでの両試験体の水平荷重〜層間変位関係をスケルトン(骨格曲線)で表示したもので、同図には、座屈拘束ブレース（ＢＲＢ）１１の単独の水平荷重〜層間変位関係(破線イ)も併せて表示している。図１０（ａ）、(ｂ)は、層間変形角で約±1/100の時の両試験体のひび割れ状態図である。
【００４６】
【表１】
2014136887.tif 000003
【００４７】
【表２】
2014136887.tif 000004
【００４８】
図８より、ＲＣ架構４Ａのみ(試験体Ｉ)では層間変位±20ｍｍ以前に耐力低下傾向が見られるが、座屈拘束ブレース（ＢＲＢ）１１付き(試験体２)ではその傾向は全くなく、更なる大変形に対しても安定したループを描いていることが分かる。
【００４９】
図９より、ＲＣ架構４のみ(試験体１)(一点鎖線ロ)と座屈拘束ブレース（ＢＲＢ）１１単独(破線イ)の水平荷重〜層間変位関係を単純に足し合わせた水平荷重曲線(点線ニ)は、座屈拘束ブレース（ＢＲＢ）１１付き(試験体２)の実線とほぼ一致していることが分かる。
【００５０】
これらのことから、ＲＣ架構４Ａに座屈拘束ブレース（ＢＲＢ）１１を組み込むと、その耐力は両者の耐力を単純累加したものとなり、かつ大変形時のＲＣ架構の耐力劣化も改善されることが分かる。すなわち、本発明による筋かい接合部は、ＲＣ架構４Ａと座屈拘束ブレース（ＢＲＢ）１１との応力伝達を充分に果たすことが確かめられた。
【００５１】
図１０(ａ)、(ｂ)に図示するＲＣ架構４Ａのひび割れ状況では、特に梁２Ａ端部に注目すると、ＲＣ架構４Ａのみ(試験体１)では曲げひび割れが多数発生しているが、座屈拘束ブレース１１付き(試験体２)では、ひび割れは梁２Ａの端部からは少し離れて、直交鋼板の縁端付近から発生していることが分かる。
【００５２】
すなわち、本発明の筋かい接合部Ａの存在により梁２Ａの端部の曲げ変形が拘束され、剛域に近い状態が形成されたためと考えられる。
【００５３】
曲げひび割れ位置(塑性ヒンジ)が梁の中央側に寄ることは、梁２Ａの断面応力が減少することであり、好ましい。この傾向は梁２Ａほどではないが、柱１Ａについても同様のことがいえる。
【００５４】
本発明の実施形態は以上の通りであるが、突起８としてせん断力に抵抗できるものであれば、スタッド、ボルトあるいは鉄筋に代えて、リブ状の突起などでもよい。また、筋かい３として座屈拘束ブレース１１を例示したが、筋かいの耐力以上の耐力で本発明の筋かい接合部Ａ、Ｂを設計すれば、通常の各種筋かい（非金属系含む）やオイルダンパー等に対しても適用できることはいうまでもない。
【産業上の利用可能性】
【００５５】
本発明は、筋かい接合部の定着性能を著しく向上させることができ、エネルギー吸収能力の高い筋かい付ＲＣ架構を提供することができる。
【符号の説明】
【００５６】
１  柱
２  梁
３  筋かい
４  ＲＣ架構
５  筋かい用ガセットプレート
６  ガセットプレート本体
７  埋め込みプレート
７ａ  貫通孔
８  突起
９  直交プレート
１０  補強リブ
１１  座屈拘束ブレース
１１ａ  芯材となる鋼板
１１ｂ  モルタル充填鋼管
１１ｃ  モルタル
１２  水平アクチュエータ
【図１】
2014136887.tif 000005
【図２】
2014136887.tif 000006
【図３】
2014136887.tif 000007
【図４】
2014136887.tif 000008
【図５】
2014136887.tif 000009
【図６】
2014136887.tif 000010
【図７】
2014136887.tif 000011
【図８】
2014136887.tif 000012
【図９】
2014136887.tif 000013
【図１０】
2014136887.tif 000014
【図１１】
2014136887.tif 000015
【図１２】
2014136887.tif 000016